(57)【要約】【課題】承認が得られたことを確認することが可能な情報処理装置およびプログラムを提供する。【解決手段】情報処理装置は、第１入力手段と、第２入力手段と、記憶手段と、を備える。前記第１入力手段は、施術毎の使用薬剤を記録した使用薬剤記録情報を記憶する記憶部の中から、承認対象の使用薬剤記録情報を選択する指示入力を受け付ける。前記第２入力手段は、前記承認対象の使用薬剤記録情報に関し、前記使用薬剤を承認する承認情報の入力を受け付ける。前記記憶手段は、前記承認対象の使用薬剤記録情報に関連付けて、前記承認情報を前記記憶部に記憶させる。【選択図】図１
2015158740.tif 000002
【特許請求の範囲】
【請求項１】
施術毎の使用薬剤を記録した使用薬剤記録情報を記憶する記憶部の中から、承認対象の使用薬剤記録情報を選択する指示入力を受け付ける第１入力手段と、
前記承認対象の使用薬剤記録情報に関し、前記使用薬剤を承認する承認情報の入力を受け付ける第２入力手段と、
前記承認対象の使用薬剤記録情報に関連付けて、前記承認情報を前記記憶部に記憶させる記憶手段と、
を備える情報処理装置。
【請求項２】
一の施術に係る前記使用薬剤記録情報が印字された使用品伝票から、当該使用薬剤記録情報を識別する識別情報を読み取る読取手段を更に備え、
前記第１入力手段は、前記読取手段で読み取られた前記識別情報を含む前記使用薬剤記録情報を前記承認対象として受け付ける、
請求項１に記載の情報処理装置。
【請求項３】
前記記憶部に記憶された前記使用薬剤記録情報の一覧を表示部に表示する表示制御手段を更に備え、
前記第１入力手段は、前記一覧の中から選択された前記使用薬剤記録情報を前記承認対象として受け付ける、
請求項１又は２に記載の情報処理装置。
【請求項４】
前記第２入力手段は、承認者を特定することが可能な情報を、前記承認情報として受け付ける、
請求項１〜３の何れか一項に記載の情報処理装置。
【請求項５】
前記第２入力手段は、前記承認者を特定することが可能な情報として、手書き入力された承認者のサインを受け付け、
予め登録された承認者のサインと、当該手書き入力された承認者のサインとを照合する照合手段を更に備えた、
請求項４に記載の情報処理装置。
【請求項６】
コンピュータを、
施術毎の使用薬剤を記録した使用薬剤記録情報を記憶する記憶部の中から、承認対象の使用薬剤記録情報を選択する指示入力を受け付ける第１入力手段と、
前記承認対象の使用薬剤記録情報に関し、前記使用薬剤を承認する承認情報の入力を受け付ける第２入力手段と、
前記承認対象の使用薬剤記録情報に関連付けて、前記承認情報を前記記憶部に記憶させる記憶手段と、
として機能させるプログラム。
【発明の詳細な説明】
【技術分野】
【０００１】
本発明の実施形態は、情報処理装置およびプログラムに関する。
【背景技術】
【０００２】
従来、薬剤の取り違い等の過誤の発生を防止するために幾つかのシステムが提案されている。例えば、特許文献１記載のシステムにおいては、投薬しようとしている薬剤の容器に付されたバーコードで特定される薬剤情報と、投薬すべき薬剤の情報とを照合し、薬剤の誤使用を防止している。
【０００３】
一方、使用した薬剤の登録においては、看護師が、手術等で使用された薬剤の空容器を集め、使用薬剤についての集計結果を伝票に手作業で記入した後、医師の承認を得て、伝票を医事部門へ提出する作業を行っていた。
【０００４】
そこで、使用した薬剤の集計作業時においても、薬剤に付されたバーコードを用いて薬剤登録を行う装置を導入する方策が考えられる。このような装置を導入した場合には、医事部門の担当者が伝票の内容を再度入力するよりも、手術室で薬剤登録されたデータを用いることで、作業の効率化および作業ミスの削減を図ることができる。
【０００５】
しかしながら、伝票ではなく、データを送る場合においても、医師による承認が求められることは変わらない。そして、医師が装置の画面で確認しただけでは、承認したことが記憶されないため、実際に医師が承認したのか否かがわからない。
【発明の概要】
【発明が解決しようとする課題】
【０００６】
本発明が解決しようとする課題は、承認が得られたことを記憶することが可能な情報処理装置およびプログラムを提供することである。
【課題を解決するための手段】
【０００７】
実施形態の情報処理装置は、第１入力手段と、第２入力手段と、記憶手段と、を備える。前記第１入力手段は、施術毎の使用薬剤を記録した使用薬剤記録情報を記憶する記憶部の中から、承認対象の使用薬剤記録情報を選択する指示入力を受け付ける。前記第２入力手段は、前記承認対象の使用薬剤記録情報に関し、前記使用薬剤を承認する承認情報の入力を受け付ける。前記記憶手段は、前記承認対象の使用薬剤記録情報に関連付けて、前記承認情報を前記記憶部に記憶させる。
【図面の簡単な説明】
【０００８】
【図１】図１は、実施形態にかかる薬剤管理システムの概要構成を示すブロック図である。
【図２】図２は、手術室用の薬剤登録装置の外観を示す正面図である。
【図３】図３は、手術室用の薬剤登録装置のハードウェア構成を示すブロック図である。
【図４】図４は、使用薬剤記録情報のデータ構成例を示す図である。
【図５】図５は、執務室用の薬剤登録装置のハードウェア構成を示すブロック図である。
【図６】図６は、承認情報のデータ構成例を示す図である。
【図７】図７は、電子カルテサーバのハードウェア構成を示すブロック図である。
【図８】図８は、使用薬剤記録情報テーブルのデータ構成例を示す図である。
【図９】図９は、手術室用の薬剤登録装置と、電子カルテサーバと、執務室用の薬剤登録装置との機能構成を示すブロック図である。
【図１０】図１０は、使用薬剤登録処理の流れを示すフローチャートである。
【図１１】図１１は、患者登録画面の一例を示す説明図である。
【図１２】図１２は、薬剤登録画面の一例を示す説明図である。
【図１３】図１３は、薬剤の使用品伝票を示す正面図である。
【図１４】図１４は、承認登録処理の流れを示すフローチャートである。
【図１５】図１５は、業務選択画面の一例を示す説明図である。
【図１６】図１６は、検索画面の一例を示す説明図である。
【図１７】図１７は、薬剤一覧画面の一例を示す説明図である。
【図１８】図１８は、署名入力画面の一例を示す説明図である。
【図１９】図１９は、承認登録処理の流れを示すフローチャートである。
【図２０】図２０は、伝票読取画面の一例を示す説明図である。
【発明を実施するための形態】
【０００９】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、手術室用の薬剤登録装置２０と、執務室用の薬剤登録装置２０ａと、を備えている。
【００１０】
電子カルテサーバ１１は、電子カルテを管理し、記憶するための装置である。また、電子カルテサーバ１１は、使用された薬剤について記憶している。
【００１１】
医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。
【００１２】
手術室用の薬剤登録装置２０は、手術室に配置され、看護師によって手術中に使用された薬剤、あるいは救急の場などにおいて看護師や薬剤師等によって緊急的に使用された薬剤の登録支援を行うための情報処理装置である。
【００１３】
執務室用の薬剤登録装置２０ａは、医師などの執務室に配置され、手術室用の薬剤登録装置２０で登録された記録の参照や、承認に使用される情報処理装置である。執務室用の薬剤登録装置２０ａは、手術室用の薬剤登録装置２０と同様の構成となっている。
【００１４】
上記構成において、電子カルテサーバ１１、情報処理端末装置１２、情報処理端末装置１３、薬剤監査装置１４、薬剤部サーバ１９、手術室用の薬剤登録装置２０及び執務室用の薬剤登録装置２０ａは、通信ネットワーク１７に接続されている。
【００１５】
図２は、手術室用の薬剤登録装置２０の外観を示す正面図である。図２に示すように、手術室用の薬剤登録装置２０は、大別すると、手術室用の薬剤登録装置２０の制御主体となる装置本体部２４と、スキャナ２２と、各種情報をプリントアウトするためのプリンタ２３とを備えている。
【００１６】
装置本体部２４は、オペレータとなる看護師が各種操作を行うとともに、使用された薬剤のリスト等の各種情報を表示可能なタッチパネルディスプレイ２１を備えている。
【００１７】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像、伝票のコードシンボルなどの撮像を行う。スキャナ２２が所定のフレームレートで順次撮像したフレーム画像（撮像画像）は、後述するＲＡＭ（Random  Access  Memory）３３（図３参照）に保存される。
【００１８】
なお、スキャナ２２は、図２に示すようなテーブル上に載置する形状に限るものではなく、床上に立設させるスタンド形状であってもよい。
【００１９】
また、手術室用の薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００２０】
また、執務室用の薬剤登録装置２０ａは、手術室用の薬剤登録装置２０と同様の外観となっている。
【００２１】
次に、手術室用の薬剤登録装置２０のハードウェア構成について説明を行う。
【００２２】
図３は、手術室用の薬剤登録装置２０のハードウェア構成を示すブロック図である。図３に示すように、手術室用の薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００２３】
ここで、タッチパネルディスプレイ２１、スキャナ２２、プリンタ２３、スピーカ３７及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。スピーカ３７は、警告音を発する場合などに使用される。
【００２４】
なお、タッチパネルディスプレイ２１は、ディスプレイ３５及びタッチパネル３６を主体に構成されている。
【００２５】
また、外部記憶装置３４は、薬剤マスタＤＢ１と、使用薬剤記録情報３４１とを備える。薬剤マスタＤＢ１は、コード情報と、薬剤名称と、薬剤情報と、を関連付けて記憶する。コード情報は、薬剤を識別するための識別子である。例えば、コード情報とは、バーコードに付されている番号である。
【００２６】
薬剤情報とは、薬剤の情報である。薬剤情報とは、例えば、形状、製薬会社、成分、効能効果、用法用量、対象疾患名、剤形、禁忌薬剤などの情報である。形状とは、アンプルやバイアルなどの容器の形状を示す。製薬会社とは、薬剤を製造した企業を示す。成分とは、薬剤の効力をもつ成分を示す。効能効果とは、薬剤を使用したことにより得られる効果を示す。用法用量とは、薬剤の使用方法を示す。対象疾患名とは、薬剤が治療の対象としている疾患名を示す。剤形とは、錠剤、散剤、カプセル、注射剤などの目的や用途により加工された薬剤の形状を示す。禁忌薬剤とは、併用すると危険をもたらす薬剤を示す。
【００２７】
使用薬剤記録情報３４１は、使用された薬剤に関して施術毎に記録された使用記録情報を記憶する。ここで、図４は、使用薬剤記録情報３４１のデータ構成例を示す図である。使用薬剤記録情報３４１は、大別すると、使用薬剤記録識別情報と、基本情報と、１以上の使用薬剤情報とを有する。
【００２８】
使用記録識別情報は、使用薬剤記録情報３４１を識別する識別情報である。基本情報は、薬剤を使用した日時や場所や患者などの情報を記憶している。具体的には、基本情報は、出力日時と、処置日時と、発行場所と、作業者識別情報と、患者識別情報と、使用薬剤合計数と、を備える。出力日時は、使用薬剤記録情報を出力した日時についての情報である。処置日時は、患者に薬剤を使用した日時についての情報である。発行場所は、使用薬剤記録情報を発行した場所についての情報である。言い換えると、発行場所は、使用薬剤記録情報を発行した薬剤登録装置２０が設置されている場所についての情報である。なお、設置場所は、薬剤登録装置２０を導入した際に、設定される情報である。作業者識別情報は、使用情報を作成した作業者についての情報である。患者識別情報は、患者を識別する情報である。使用薬剤合計数は、患者に使用された薬剤の合計数についての情報である。
【００２９】
使用薬剤情報は、薬剤識別情報と、使用本数と、定数と、を備える。薬剤識別情報は、使用された薬剤の識別情報である。使用本数は、薬剤識別情報を有している薬剤が使用された本数を示す情報である。定数は、薬剤識別情報を有している薬剤が処置場所に常備されている本数を示す情報である。
【００３０】
次に、執務室用の薬剤登録装置２０ａのハードウェア構成について説明を行う。
【００３１】
図５は、執務室用の薬剤登録装置２０ａのハードウェア構成を示すブロック図である。図５に示すように、執務室用の薬剤登録装置２０ａのハードウェア構成は、外部記憶装置３４ａに記憶された情報を除き、手術室用の薬剤登録装置２０と同様の構成となっている。
【００３２】
外部記憶装置３４ａは、承認情報３４１ａと、承認者マスタＤＢ２とを備える。承認情報３４１ａは、使用された薬剤であることを承認したことを示す情報である。ここで、図６は、承認情報３４１ａのデータ構成例を示す図である。承認情報３４１ａは、承認識別情報と、署名情報と、を備える。承認識別情報は、承認情報３４１ａを識別する識別情報である。署名情報は、承認したことを示す情報である。承認したことを示す情報とは、例えば、承認者によって書かれた署名（サイン）の画像データなどである。
【００３３】
承認者マスタＤＢ２は、承認者識別情報と、照合元情報とを備える。承認者識別情報は、承認者を識別する識別情報である。承認者識別情報は、例えば、承認者（医師）が有している医師ＩＤなどである。照合元情報は、予め登録された承認者の署名（サイン）である。照合元情報は、入力された署名情報が、承認者識別情報を有している者によって入力された情報であるか否かを判定する際に照合元となる。
【００３４】
次に、電子カルテサーバ１１のハードウェア構成について説明を行う。電子カルテサーバ１１は、一般的なサーバ装置と同様の構成となっている。
【００３５】
図７は、電子カルテサーバ１１のハードウェア構成を示すブロック図である。図７に示すように、装置全体を制御するＭＰＵ５１は、バス５６を介して、ＲＯＭ５２と、ＲＡＭ５３と、外部記憶装置５４と、入出力Ｉ／Ｏ５５と接続されている。入出力Ｉ／Ｏ５５は、ディスプレイ５７と、スキャナ５８と、キーボード５９と、プリンタ６０と、通信インタフェース６１とが接続されている。ＲＯＭ５２は、制御プログラムを含む各種データを不揮発的に記憶する。ＲＡＭ５３は、ワークエリアとして機能するとともに、各種データを一時的に記憶する。外部記憶装置５４は、データベース等の大容量データや制御プログラムを記憶可能なハードディスクドライブ、ＳＳＤによって構成されている。
【００３６】
また、記憶部である外部記憶装置５４は、使用薬剤記録情報テーブルＴ１と、承認情報テーブルＴ２とを備える。承認情報テーブルＴ２は、承認情報３４１ａを記憶する。
【００３７】
ここで、図８は、使用薬剤記録情報テーブルＴ１のデータ構成例を示す図である。使用薬剤記録情報テーブルＴ１は、使用薬剤記録情報３４１と、対応する承認情報３４１ａを特定する承認識別情報とを記憶する。これにより、使用薬剤記録情報テーブルＴ１を参照し、承認識別情報の有無を判定することで、使用薬剤記録情報３４１が承認済みであるか否かがわかる。また、承認識別情報を用いることで、承認情報テーブルＴ２に記憶された署名情報を参照することができる。
【００３８】
通信インタフェース６１は、通信ネットワーク１７を介して薬剤部サーバ１９や、手術室用の薬剤登録装置２０や、執務室用の薬剤登録装置２０ａと通信することが可能である。そして、通信ネットワーク１７は、インターネット等を介して健康保険組合の情報処理端末と通信することができてもよい。
【００３９】
次に、実施形態にかかる手術室用の薬剤登録装置２０と、電子カルテサーバ１１と、執務室用の薬剤登録装置２０ａとが有する特徴的な機能について説明する。図９は、手術室用の薬剤登録装置２０と、電子カルテサーバ１１と、執務室用の薬剤登録装置２０ａとの機能構成を示すブロック図である。
【００４０】
手術室用の薬剤登録装置２０のＭＰＵ３１は、ＲＯＭ３２や外部記憶装置３４に記憶された制御プログラムに従って動作することで、図９に示すように、読取手段３１１と、識別手段３１２と、登録手段３１３と、表示制御手段３１４と、印字制御手段３１５と、通信手段３１６と、として機能する。
【００４１】
電子カルテサーバ１１のＭＰＵ５１は、ＲＯＭ５２や外部記憶装置５４に記憶された制御プログラムに従って動作することで、図９に示すように、通信手段５１１と、記憶手段５１２と、として機能する。
【００４２】
執務室用の薬剤登録装置２０ａのＭＰＵ３１ａは、ＲＯＭ３２ａや外部記憶装置３４ａに記憶された制御プログラムに従って動作することで、図９に示すように、通信手段３１１ａと、選択手段３１２ａと、承認手段３１３ａと、読取手段３１４ａと、表示制御手段３１５ａと、照合手段３１６ａと、として機能する。
【００４３】
まず、手術室用の薬剤登録装置２０が有する機能構成について説明を行う。
【００４４】
読取手段３１１は、スキャナ２２がスキャンした撮像画像から、薬剤の識別子を読み取る。具体的には、読取手段３１１は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。
【００４５】
識別手段３１２は、読取手段３１１による読み取り結果として得られた情報（コード情報または外面情報）に基づいて薬剤を識別して薬剤情報を抽出する。また、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００４６】
登録手段３１３は、識別手段３１２で識別された薬剤を外部記憶装置３４の使用薬剤記録情報３４１に登録する。具体的には、登録手段３１３は、薬剤の使用に関する情報として使用本数などの情報を使用薬剤記録情報３４１に登録する。
【００４７】
印字制御手段３１５は、使用薬剤記録情報３４１に登録された基本情報と、使用薬剤情報とを印字部であるプリンタ２３に印字させる制御を行う。また、印字制御手段３１５は、使用薬剤記録識別情報をコード化して生成したコードシンボルを合せて印字する。
【００４８】
通信手段３１６は、通信インタフェース３８を用いて通信ネットワーク１７にアクセスすることにより各種装置と通信する。例えば、通信手段３１６は、使用薬剤記録情報３４１を電子カルテサーバ１１に送信する。
【００４９】
次に、電子カルテサーバ１１が有している機能構成について説明を行う。
【００５０】
通信手段５１１は、通信インタフェース６１を用いて通信ネットワーク１７にアクセスすることにより各種装置と通信する。例えば、通信手段５１１は、手術室用の薬剤登録装置２０や、執務室用の薬剤登録装置２０ａと通信する。通信手段５１１は、手術室用の薬剤登録装置２０から使用薬剤記録情報３４１を受信する。また、通信手段５１１は、執務室用の薬剤登録装置２０ａから承認情報３４１ａと、使用薬剤記録識別情報とを受信する。これにより、何れの使用薬剤記録情報３４１が承認されたかを判別することができる。
【００５１】
記憶手段５１２は、手術室用の薬剤登録装置２０から受信した使用薬剤記録情報３４１を使用薬剤記録情報テーブルＴ１に記憶させる。また、記憶手段５１２は、執務室用の薬剤登録装置２０ａから受信した承認情報３４１ａを承認情報テーブルＴ２に記憶させる。承認情報３４１ａを承認情報テーブルＴ２に記憶させる際に、記憶手段５１２は、使用薬剤記録情報３４１と、承認情報３４１ａとを関連付けて記憶させる。具体的には、記憶手段５１２は、受信した承認情報３４１ａの承認識別情報を、使用薬剤記録情報テーブルＴ１の該当する使用薬剤記録情報３４１に付加して記憶させる。
【００５２】
次に、執務室用の薬剤登録装置２０ａが有している機能構成について説明を行う。
【００５３】
通信手段３１１ａは、通信インタフェース６１を用いて通信ネットワーク１７にアクセスすることにより各種装置と通信する。通信手段３１１ａは、電子カルテサーバ１１と通信することにより、使用薬剤記録情報テーブルＴ１に記憶された使用薬剤記録情報３４１を受信する。また、通信手段３１１ａは、使用薬剤記録識別情報と、承認情報３４１ａとを電子カルテサーバ１１に送信する。
【００５４】
第１入力手段である選択手段３１２ａは、施術毎の使用薬剤を記録した使用薬剤記録情報３４１を記憶する使用薬剤記録情報テーブルＴ１の中から、承認対象の使用薬剤記録情報３４１を選択する指示入力を受け付ける。具体的には、選択手段３１２ａは、後述する読取手段３１４ａで読み取られた使用薬剤記録識別情報を含む使用薬剤記録情報３４１を承認対象として受け付ける。または、選択手段３１２ａは、後述する表示制御手段３１５ａがタッチパネルディスプレイ２１ａに表示した使用薬剤記録情報３４１の一覧の中から選択された使用薬剤記録情報３４１を承認対象として受け付ける。
【００５５】
第２入力手段である承認手段３１３ａは、選択手段３１２ａが選択した使用薬剤記録情報３４１に記録されている薬剤に関し、使用したことを承認する情報の入力を受け付ける。承認する情報として承認手段３１３ａは、承認者を特定することが可能な情報を受け付ける。具体的には、承認手段３１３ａは、承認者を特定することが可能な情報として、手書き入力された承認者の署名（サイン）を受け付ける。
【００５６】
なお、承認者を特定することが可能な情報は、手書き入力された承認者の署名（サイン）以外であってもよい。例えば、承認者であることを確認することができるパスワードや、承認者が所持しているカードキー（身分証明書）などであってもよい。
【００５７】
読取手段３１４ａは、一の施術に係る使用薬剤記録情報３４１が印字された使用品伝票Ｄから、使用薬剤記録情報３４１を識別する使用薬剤記録識別情報を読み取る。具体的には、読取手段３１４ａは、使用薬剤記録識別情報をコード化したコードシンボルを、スキャナ２２ａを用いて使用品伝票Ｄから読み取る。
【００５８】
表示制御手段３１５ａは、使用薬剤記録情報テーブルＴ１に記憶された使用薬剤記録情報３４１の一覧を表示部であるタッチパネルディスプレイ２１ａに表示する。
【００５９】
照合手段３１６ａは、承認手段３１３ａによって入力された、承認者を特定することが可能な情報である手書き入力された承認者のサインと、承認者マスタＤＢ２に記憶された照合元情報とを照合する。具体的には、照合手段３１６ａは、ログイン中の承認者（医師）の医師ＩＤを用いて承認者識別情報を検索する。そして、照合手段３１６ａは、検索条件と一致した承認者識別情報を有する照合元情報と照合する。これにより、照合手段３１６ａは、ログイン中の承認者（医師）によって入力された署名（サイン）であるか否かを照合することができる。
【００６０】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像などをスキャンし、薬剤登録処理を実行する。
【００６１】
図１０は、薬剤登録装置２０のＭＰＵ３１が制御プログラムに従って実行する使用薬剤登録処理の流れを示すフローチャートである。図１０に示すように、薬剤登録装置２０のＭＰＵ３１は、初期状態として、ディスプレイ３５にログイン画面（不図示）を表示する（ステップＳ１１）。薬剤登録装置２０の操作が許可されている各オペレータ（看護師）は、ＩＤカードを有し、ＩＤカードの認証により薬剤登録装置２０の操作が可能になるものとする。
【００６２】
ログイン画面は、「ＩＤカードを読み取らせてください。」というガイドコメントが表示される。また、ログイン画面は、ＩＤカードに付されている看護師ＩＤのコードシンボルをスキャナ２２に読み込ませることを促すガイド画像を表示する。したがって、オペレータ（看護師）は、ログイン処理を行うために、自己のＩＤカードに付された看護師ＩＤのコードシンボルをスキャナ２２の前にかざして、看護師ＩＤを読み込ませる。
【００６３】
薬剤登録装置２０のＭＰＵ３１は、ログイン処理により看護師ＩＤを認証すると（ステップＳ１２；Ｙｅｓ）、ディスプレイ３５の表示画面に患者登録画面Ｇ１を表示する（ステップＳ１３）。なお、薬剤登録装置２０のＭＰＵ３１は、看護師ＩＤが認証できない場合に（ステップＳ１２；Ｎｏ）、ステップＳ１１に戻り、ログイン画面を再度表示する。
【００６４】
図１１は、患者登録画面Ｇ１の一例を示す説明図である。患者登録画面Ｇ１には、図１１に示すように、「患者ＩＤを読み取らせてください。」というガイドコメントが表示される。また、患者登録画面Ｇ１は、患者のリストバンドに付されている患者ＩＤのコードシンボルをスキャナ２２に読み込ませることを促すガイド画像を表示する。
【００６５】
また、患者登録画面Ｇ１は、業務選択ボタンＢ１を備える。業務選択ボタンＢ１は、薬剤登録処理以外の業務を行う場合に押下するボタンである。
【００６６】
したがって、オペレータ（看護師）は、薬剤登録処理の前処理である患者登録処理を行うために、患者のリストバンドに付されている患者ＩＤのコードシンボルをスキャナ２２の前にかざして、患者ＩＤを読み込ませる。
【００６７】
薬剤登録装置２０のＭＰＵ３１は、患者ＩＤが登録できない場合に（ステップＳ１４；Ｎｏ）、ステップＳ１３に戻り、患者登録画面Ｇ１を再度表示する。一方、薬剤登録装置２０のＭＰＵ３１は、患者登録処理により患者ＩＤを登録すると（ステップＳ１４；Ｙｅｓ）、ディスプレイ３５の表示画面に薬剤登録開始画面（不図示）を表示させる（ステップＳ１５）。薬剤登録開始画面は、薬剤のコードシンボルの読み取らせ方を表示する画面である。
【００６８】
したがって、オペレータ（看護師）は、薬剤登録処理を行うために、薬剤に付されているコードシンボルをスキャナ２２の前にかざして、薬剤の識別情報を読み込ませる。
【００６９】
薬剤登録装置２０のＭＰＵ３１は、薬剤の識別情報を検知するか否かを判定する（ステップＳ１６）。薬剤の識別情報を検知しない場合に（ステップＳ１６；Ｎｏ）、薬剤登録装置２０のＭＰＵ３１は、ステップＳ１６に待機する。一方、薬剤の識別情報を検知した場合に（ステップＳ１６；Ｙｅｓ）、薬剤登録装置２０のＭＰＵ３１は、読み取った薬剤の識別情報を使用薬剤記録情報３４１に記憶する（ステップＳ１７）。
【００７０】
次いで、薬剤登録装置２０のＭＰＵ３１は、薬剤登録画面Ｇ２を表示する（ステップＳ１８）。薬剤登録画面Ｇ２は、登録された薬剤の一覧を表示する画面である。ここで、図１２は、薬剤登録画面Ｇ２の一例を示す説明図である。薬剤登録画面Ｇ２は、大別すると、薬剤一覧表示領域Ｒ１と、印刷ボタンＢ２とを備える。
【００７１】
薬剤一覧表示領域Ｒ１は、薬剤名表示領域Ｒ１１と、数量表示領域Ｒ１２と、合計点数表示領域Ｒ１３とを備える。薬剤名表示領域Ｒ１１は、薬剤名称を表示する領域である。数量表示領域Ｒ１２は、薬剤名表示領域Ｒ１１に登録された薬剤の数量を表示する領域である。合計点数表示領域Ｒ１３は、登録された薬剤の合計数を表示する領域である。印刷ボタンＢ２は、使用薬剤記録情報３４１に登録された薬剤の伝票を印刷する場合に押下するボタンである。
【００７２】
次いで、薬剤登録装置２０のＭＰＵ３１は、印刷ボタンＢ２の押下を検知するか否かを判定する（ステップＳ１９）。印刷ボタンＢ２の押下が検知されない場合に（ステップＳ１９；Ｎｏ）、薬剤登録装置２０のＭＰＵ３１は、ステップＳ１６に戻る。一方、印刷ボタンＢ２の押下を検知した場合に（ステップＳ１９；Ｙｅｓ）、薬剤登録装置２０のＭＰＵ３１は、薬剤の使用品伝票Ｄを印刷する（ステップＳ２０）。
【００７３】
ここで、図１３は、薬剤の使用品伝票Ｄを示す正面図である。使用品伝票Ｄは、図１３に示すように、使用薬剤記録情報３４１に登録された薬剤の一覧を印字した伝票である。使用品伝票Ｄは、大別すると、ヘッダ欄Ｄ１１と、基本情報欄Ｄ１２と、使用薬剤データ欄Ｄ１３と、承認印欄Ｄ１４とを備えている。ヘッダ欄Ｄ１１は、伝票名称が印字される欄である。
【００７４】
基本情報欄Ｄ１２は、薬剤登録装置２０に薬剤を読み取らせる際に設定された情報が印字される欄である。すなわち、基本情報欄Ｄ１２は、使用薬剤記録情報３４１に記憶された基本情報が印字される欄である。そして、基本情報欄Ｄ１２は、出力日時と、処置日時と、発行場所と、作業者情報と、患者情報と、識別用コードシンボルＭとが印字される。出力日時は、使用薬剤記録情報を出力した日時が印字される。処置日時は、患者に薬剤を使用した日時が印字される。発行場所は、使用薬剤記録情報を発行した薬剤登録装置２０が設置されている場所が印字される。作業者情報は、薬剤登録を行った作業者氏名が印字される。すなわち、作業者情報は、使用薬剤記録情報３４１に記憶された作業者識別情報に関連付けられている作業者氏名が印字される。患者情報は、患者の氏名、年齢および性別が印字される。すなわち、患者情報は、使用薬剤記録情報３４１に記憶された患者識別情報に関連付けられている患者氏名、年齢および性別が印字される。識別用コードシンボルＭは、使用薬剤記録情報３４１を識別する使用薬剤記録識別情報をコード化したものである。また、識別用コードシンボルＭの下には、使用薬剤記録識別情報が印字される。図１３は、使用薬剤記録識別情報として１１０１２３４５６７８９０が印字されている状態を示している。
【００７５】
使用薬剤データ欄Ｄ１３は、使用された薬剤に関する情報を印字する欄である。使用薬剤データ欄Ｄ１３は、Ｎｏ列と、薬品名列と、単位列と、本数列と、定数列とを印字する。Ｎｏ列は、分類名と、項目Ｎｏとが印字される。分類名は、薬剤の分類の名称である。図１３は、常用薬剤と、アブレーションと、その他とが印字された状態を示している。項目Ｎｏは、薬剤種別ごとに付与される一連の番号であって、分類名が異なる場合であっても一連の番号が継続して付与される。
【００７６】
薬品名列は、薬剤名と、薬剤のコード番号と、を印字する列である。薬剤名は、薬剤の名称が印字される。薬剤のコード番号は、薬剤のコードシンボルに付されている番号である。承認印欄Ｄ１４は、承認印を捺印する欄が印字される領域である。
【００７７】
次に、上述した実施形態にかかる薬剤登録装置２０のＭＰＵ３１が制御プログラムに従って実行する承認登録処理について説明する。
【００７８】
承認登録処理は、薬剤登録処理において登録された使用薬剤を確認し、承認したことを示す承認情報３４１ａを登録する処理である。承認登録処理は、紙媒体に印字された伝票などを用いて確認する方法と、執務室用の薬剤登録装置２０ａに表示された画面を用いて確認する方法とがある。そして、承認者（医師）の執務室などに置かれた薬剤登録装置２０ａは、間違いがないことを確認された後に、署名（サイン）を受け付けることで承認登録処理を行う。
【００７９】
まず、執務室用の薬剤登録装置２０ａに表示された画面を用いて確認する方法の承認登録処理について説明する。
【００８０】
図１４は、薬剤登録装置２０ａのＭＰＵ３１ａが制御プログラムに従って実行する承認登録処理の流れを示すフローチャートである。図１４に示すように、薬剤登録装置２０ａのＭＰＵ３１ａは、初期状態として、ディスプレイ３５ａにログイン画面を表示する（ステップＳ４１）。ログイン画面は、前述の薬剤登録処理の際に表示されたログイン画面と同じである。
【００８１】
したがって、承認者（医師）は、ログイン処理を行うために、自己のＩＤカードに付された医師ＩＤのコードシンボルをスキャナ２２ａの前にかざして、医師ＩＤを読み込ませる。
【００８２】
薬剤登録装置２０ａのＭＰＵ３１ａは、ログイン処理により医師ＩＤを認証すると（ステップＳ４２；Ｙｅｓ）、ディスプレイ３５ａの表示画面に患者登録画面Ｇ１を表示する（ステップＳ４３）。なお、薬剤登録装置２０ａのＭＰＵ３１ａは、医師ＩＤが認証できない場合に（ステップＳ４２；Ｎｏ）、ステップＳ４１に戻り、ログイン画面を再度表示する。患者登録画面Ｇ１は、前述の薬剤登録処理の際に表示された患者登録画面Ｇ１と同じである。
【００８３】
薬剤登録装置２０ａのＭＰＵ３１ａは、業務選択ボタンＢ１の押下が検出されるか否かを判定する（ステップＳ４４）。業務選択ボタンＢ１の押下を検出しない場合に（ステップＳ４４；Ｎｏ）、薬剤登録装置２０ａのＭＰＵ３１ａは、ステップＳ４４に待機する。
【００８４】
一方、業務選択ボタンＢ１の押下を検出した場合に（ステップＳ４４；Ｙｅｓ）、薬剤登録装置２０ａのＭＰＵ３１ａは、業務選択画面Ｇ３を表示する（ステップＳ４５）。
【００８５】
図１５は、業務選択画面Ｇ３の一例を示す説明図である。業務選択画面Ｇ３は、薬剤登録装置２０ａを用いて行う業務を選択する画面である。業務選択画面Ｇ３は、図１５に示すように、承認登録ボタンＢ３と、戻るボタンＢ４とを備える。承認登録ボタンＢ３は、使用薬剤記録情報３４１を承認する承認登録処理を行う場合に押下するボタンである。戻るボタンＢ４は、患者登録画面Ｇ１に戻す場合に押下するボタンである。
【００８６】
薬剤登録装置２０ａのＭＰＵ３１ａは、戻るボタンＢ４の押下が検出されるか否かを判定する（ステップＳ４６）。戻るボタンＢ４の押下を検出した場合に（ステップＳ４６；Ｙｅｓ）、薬剤登録装置２０ａのＭＰＵ３１ａは、ステップＳ４３に戻る。
【００８７】
一方、薬剤登録装置２０ａのＭＰＵ３１ａは、戻るボタンＢ４の押下を検出しない場合に（ステップＳ４６；Ｎｏ）、薬剤登録装置２０ａのＭＰＵ３１ａは、承認登録ボタンＢ３の押下が検出されるか否かを判定する（ステップＳ４７）。
【００８８】
承認登録ボタンＢ３の押下が検出されない場合に（ステップＳ４７；Ｎｏ）、薬剤登録装置２０ａのＭＰＵ３１ａは、ステップＳ４６に戻る。一方、承認登録ボタンＢ３の押下を検出した場合に（ステップＳ４７；Ｙｅｓ）、薬剤登録装置２０ａのＭＰＵ３１ａは、検索画面Ｇ４を表示する（ステップＳ４８）。
【００８９】
図１６は、検索画面Ｇ４の一例を示す説明図である。検索画面Ｇ４は、使用薬剤記録情報３４１を検索する画面である。検索画面Ｇ４は、図１６に示すように、大別すると、検索条件入力領域Ｒ５１と、情報一覧領域Ｒ５２と、中止ボタンＢ５と、確定ボタンＢ６とを備える。検索条件入力領域Ｒ５１は、使用薬剤記録情報３４１を検索する条件を入力する領域である。具体的には、検索条件入力領域Ｒ５１は、検索対象の日付を指定する領域である。検索条件入力領域Ｒ５１は、日付指定開始欄Ｒ５１ａと、日付指定終了欄Ｒ５１ｂと、検索ボタンＢ７とを備える。日付指定開始欄Ｒ５１ａは、検索条件である日付指定の開始を入力する欄である。ここで、日付指定は、処置日時の日付を指定するものである。日付指定終了欄Ｒ５１ｂは、検索条件である日付指定の終了を入力する欄である。検索ボタンＢ７は、検索条件について検索するボタンである。
【００９０】
情報一覧領域Ｒ５２は、検索ボタンＢ７が押下された場合に、検索結果を表示する領域である。情報一覧領域Ｒ５２は、使用薬剤記録情報３４１の基本情報を表示した領域である。情報一覧領域Ｒ５２は、日時列と、患者氏名列と、患者ＩＤ列と、年齢列と、性別列とを備える。日時列は、処置日時を表示する列である。患者氏名列は、患者の氏名を表示する列である。患者ＩＤ列は、患者の識別情報であるＩＤを表示する列である。年齢列は、患者の年齢を表示する列である。性別列は、患者の性別を表示する列である。すなわち、承認者（医師）は、情報一覧領域Ｒ５２に表示された情報をもとに所望の使用薬剤記録情報３４１を選択する。中止ボタンＢ５は、使用薬剤記録情報３４１の選択を中止する場合に押下するボタンである。確定ボタンＢ６は、選択した使用薬剤記録情報３４１の使用薬剤情報を表示させる場合に押下するボタンである。なお、図１６は、０１２３４５６７８９の患者ＩＤが選択された状態を示している。
【００９１】
薬剤登録装置２０ａのＭＰＵ３１ａは、中止ボタンＢ５の押下を検出するか否かを判定する（ステップＳ４９）。中止ボタンＢ５の押下が検出された場合に（ステップＳ４９；Ｙｅｓ）、薬剤登録装置２０ａのＭＰＵ３１ａは、ステップＳ４５に戻る。
【００９２】
一方、中止ボタンＢ５の押下が検出されない場合に（ステップＳ４９；Ｎｏ）、薬剤登録装置２０ａのＭＰＵ３１ａは、確定ボタンＢ６の押下が検出されるか否かを判定する（ステップＳ５０）。確定ボタンＢ６の押下が検出されない場合に（ステップＳ５０；Ｎｏ）、薬剤登録装置２０ａのＭＰＵ３１ａは、ステップＳ４９に戻る。一方、確定ボタンＢ６の押下が検出された場合に（ステップＳ５０；Ｙｅｓ）、薬剤登録装置２０ａのＭＰＵ３１ａは、薬剤一覧画面Ｇ５を表示させる（ステップＳ５１）。
【００９３】
図１７は、薬剤一覧画面Ｇ５の一例を示す説明図である。薬剤一覧画面Ｇ５は、選択された使用薬剤記録情報３４１に記憶された薬剤識別情報を有する薬剤が表示される画面である。具体的には、薬剤一覧画面Ｇ５は、使用薬剤記録情報３４１の薬剤識別情報が示す薬剤の一覧である。承認者（医師）は、薬剤一覧画面Ｇ５を参照して間違いが無いことを確認する。薬剤一覧画面Ｇ５は、図１７に示すように、基本情報領域Ｒ６１と、使用薬剤領域Ｒ６２と、戻るボタンＢ８と、承認ボタンＢ９とを備える。基本情報領域Ｒ６１は、使用薬剤記録情報３４１の基本情報のうち、患者に関する情報を表示する領域である。また、基本情報領域Ｒ６１は、基本情報の患者に関する情報以外の情報を表示してもよい。使用薬剤領域Ｒ６２は、使用薬剤記録情報３４１の使用薬剤情報が表示される領域である。使用薬剤領域Ｒ６２は、薬剤名称と、使用数量と、合計点数とを表示する。戻るボタンＢ８は、薬剤一覧画面Ｇ５に戻る場合に押下するボタンである。承認ボタンＢ９は、使用薬剤領域Ｒ６２に表示された使用薬剤記録情報３４１に間違いが無いことを確認する場合に押下するボタンである。
【００９４】
薬剤登録装置２０ａのＭＰＵ３１ａは、戻るボタンＢ８の押下を検出するか否かを判定する（ステップＳ５２）。戻るボタンＢ８の押下が検出された場合に（ステップＳ５２；Ｙｅｓ）、薬剤登録装置２０ａのＭＰＵ３１ａは、ステップＳ４８に戻る。一方、戻るボタンＢ８の押下が検出されない場合に（ステップＳ５２；Ｎｏ）、薬剤登録装置２０ａのＭＰＵ３１ａは、承認ボタンＢ９が押下されたか否かを判定する（ステップＳ５３）。承認ボタンＢ９の押下が検出されない場合に（ステップＳ５３；Ｎｏ）、薬剤登録装置２０ａのＭＰＵ３１ａは、ステップＳ５２に戻る。
【００９５】
一方、承認ボタンＢ９の押下が検出された場合に（ステップＳ５３；Ｙｅｓ）、薬剤登録装置２０ａのＭＰＵ３１ａは、署名入力画面Ｇ６を表示させる（ステップＳ５４）。図１８は、署名入力画面Ｇ６の一例を示す説明図である。署名入力画面Ｇ６は、承認したことを示す署名（サイン）を入力する画面である。署名入力画面Ｇ６は、「署名を入力して下さい」とのメッセージを表示して署名（サイン）の入力を求める。署名入力画面Ｇ６は、署名入力欄Ｒ７１と、キャンセルボタンＢ１０と、ＯＫボタンＢ１１とを備える。署名入力欄Ｒ７１は、署名（サイン）を入力する欄である。キャンセルボタンＢ１０は、署名（サイン）の入力をキャンセルする場合に押下するボタンである。ＯＫボタンＢ１１は、署名（サイン）の入力を確定する場合に押下するボタンである。図１８は、承認者（医師）の氏名である太郎が入力された状態を示している。
【００９６】
薬剤登録装置２０ａのＭＰＵ３１ａは、キャンセルボタンＢ１０の押下を検出するか否かを判定する（ステップＳ５５）。キャンセルボタンＢ１０の押下が検出された場合に（ステップＳ５５；Ｙｅｓ）、薬剤登録装置２０ａのＭＰＵ３１ａは、ステップＳ５１に戻る。一方、キャンセルボタンＢ１０の押下が検出されない場合に（ステップＳ５５；Ｎｏ）、薬剤登録装置２０ａのＭＰＵ３１ａは、ＯＫボタンＢ１１が押下されたか否かを判定する（ステップＳ５６）。ＯＫボタンＢ１１の押下が検出されない場合に（ステップＳ５６；Ｎｏ）、薬剤登録装置２０ａのＭＰＵ３１ａは、ステップＳ５５に戻る。
【００９７】
一方、ＯＫボタンＢ１１の押下が検出された場合に（ステップＳ５６；Ｙｅｓ）、薬剤登録装置２０ａのＭＰＵ３１ａは、承認者マスタＤＢ２に記憶された照合元情報と、手書き入力された署名（サイン）とを照合してログイン中の承認者（医師）が入力した署名（サイン）であるか否かを判定する（ステップＳ５７）。なお、署名（サイン）の照合方法は、公知の技術を用いるものとする。
【００９８】
ログイン中の承認者（医師）が入力した署名（サイン）でないと判定された場合に（ステップＳ５７；Ｎｏ）、薬剤登録装置２０ａのＭＰＵ３１ａは、ステップＳ５４に戻る。一方、ログイン中の承認者（医師）が入力した署名（サイン）であると判定された場合に（ステップＳ５７；Ｙｅｓ）、薬剤登録装置２０ａのＭＰＵ３１ａは、承認情報３４１ａと、使用薬剤記録識別情報とを電子カルテサーバ１１に送信して（ステップＳ５８）、使用薬剤記録情報テーブルＴ１および承認情報テーブルＴ２に登録させる。
【００９９】
次に、紙媒体に印字された伝票などを用いて確認する方法の承認登録処理について説明を行う。
【０１００】
図１９は、薬剤登録装置２０ａのＭＰＵ３１ａが制御プログラムに従って実行する承認登録処理の流れを示すフローチャートである。ステップＳ７１〜ステップＳ７７の処理は、図１４のステップＳ４１〜のステップＳ４７と同様の内容となっている。
【０１０１】
承認登録ボタンＢ３の押下を検出した場合に（ステップＳ７７；Ｙｅｓ）、薬剤登録装置２０ａのＭＰＵ３１ａは、伝票読取画面Ｇ７を表示する（ステップＳ７８）。
【０１０２】
図２０は、伝票読取画面Ｇ７の一例を示す説明図である。伝票読取画面Ｇ７は、使用品伝票Ｄに印字された識別用コードシンボルＭを読み取らせることを促す画面である。したがって、伝票読取画面Ｇ７は、「コードシンボルを読み取らせて下さい」とのメッセージを表示させる。また、伝票読取画面Ｇ７は、中止ボタンＢ１２を備える。
【０１０３】
薬剤登録装置２０ａのＭＰＵ３１ａは、中止ボタンＢ１２の押下を検出するか否かを判定する（ステップＳ７９）。中止ボタンＢ１２の押下を検出した場合に（ステップＳ７９；Ｙｅｓ）、薬剤登録装置２０ａのＭＰＵ３１ａは、ステップＳ７５に戻る。
【０１０４】
一方、中止ボタンＢ１２の押下を検出しない場合に（ステップＳ７９；Ｎｏ）、薬剤登録装置２０ａのＭＰＵ３１ａは、識別用コードシンボルＭを検出するか否かを判定する（ステップＳ８０）。識別用コードシンボルＭを検出しない場合に（ステップＳ８０；Ｎｏ）、薬剤登録装置２０ａのＭＰＵ３１ａは、ステップＳ７９に戻る。
【０１０５】
一方、識別用コードシンボルＭを検出した場合に（ステップＳ８０；Ｙｅｓ）、署名入力画面Ｇ６を表示させる（ステップＳ８１）。なお、紙媒体に印字された伝票を用いて確認を行っているため、薬剤一覧画面Ｇ５は、表示させなくてもよい。
【０１０６】
署名入力画面Ｇ６を表示させた以後の処理は（ステップＳ８１〜ステップＳ８５）、図１３のステップＳ５４〜Ｓ５８と同様の処理を行う。
【０１０７】
以上のように、本実施形態によれば、手術室用の薬剤登録装置２０で登録された使用薬剤記録情報３４１は、使用薬剤記録情報テーブルＴ１に記憶される。執務室用の薬剤登録装置２０ａは、使用薬剤記録情報テーブルＴ１に記憶された使用薬剤記録情報３４１を選択させる選択手段３１２ａを備える。そして、執務室用の薬剤登録装置２０ａは、選択手段３１２ａが選択した使用薬剤記録情報３４１に記録されている薬剤を使用したことを承認する入力を受け付ける承認手段３１３ａを備えている。承認手段３１３ａが受付けた承認情報３４１ａと、使用薬剤記録情報３４１とは、使用薬剤記録情報テーブルＴ１に関連付けて記憶させる。よって、承認が得られたことを確認することができる。
【０１０８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１０９】
なお、上記実施形態では、承認者として、医師を例に挙げて説明している。しかし、承認者は、医師に限らない。例えば、看護師や、薬剤師や、医事部門の管理者などであってもよい。さらに、承認者は、複数人であってもよい。
【０１１０】
なお、上記実施形態では、使用薬剤記録情報テーブルＴ１および承認情報テーブルＴ２は、電子カルテサーバ１１に記憶されると説明している。しかし、使用薬剤記録情報テーブルＴ１および承認情報テーブルＴ２は、電子カルテサーバ１１以外に記憶されてもよい。例えば、薬剤部サーバ１９や、その他のサーバ装置に記憶されていてもよい。または、手術室用の薬剤登録装置２０や、執務室用の薬剤登録装置２０ａに記憶されていてもよい。
【０１１１】
なお、上記実施形態では、使用薬剤記録情報３４１を検索する条件として、処置日時の日付を指定すると説明している。しかし、検索条件は、処置日時の日付に限らない。検索条件は、使用薬剤記録情報３４１に記憶されている、他の内容であってもよい。例えば、出力日時や、発行場所や、作業者識別情報や、患者識別情報や、使用薬剤合計数や、薬剤識別情報などであってもよい。
【０１１２】
なお、上記実施形態では、使用薬剤記録識別情報をコード化した識別用コードシンボルＭを読み取らせることで使用薬剤記録情報３４１を選択すると説明している。しかし、使用薬剤記録情報３４１を指定する方法は、識別用コードシンボルＭを読み取らせる以外であってもよい。例えば、識別用コードシンボルＭの下に数字で印字された使用薬剤記録識別情報を手入力することで選択してもよい。
【０１１３】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【０１１４】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【０１１５】
１１          電子カルテサーバ
２０、２０ａ  薬剤登録装置
３１２ａ      選択手段
３１３ａ      承認手段
３４１        使用薬剤記録情報
３４１ａ      承認情報
５１２        記憶手段
Ｔ１          使用薬剤記録情報テーブル
Ｔ２          承認情報テーブル
【先行技術文献】
【特許文献】
【０１１６】
【特許文献１】特開２００２−１６３３５７号公報
【図１】
2015158740.tif 000003
【図２】
2015158740.tif 000004
【図３】
2015158740.tif 000005
【図４】
2015158740.tif 000006
【図５】
2015158740.tif 000007
【図６】
2015158740.tif 000008
【図７】
2015158740.tif 000009
【図８】
2015158740.tif 000010
【図９】
2015158740.tif 000011
【図１０】
2015158740.tif 000012
【図１１】
2015158740.tif 000013
【図１２】
2015158740.tif 000014
【図１３】
2015158740.tif 000015
【図１４】
2015158740.tif 000016
【図１５】
2015158740.tif 000017
【図１６】
2015158740.tif 000018
【図１７】
2015158740.tif 000019
【図１８】
2015158740.tif 000020
【図１９】
2015158740.tif 000021
【図２０】
2015158740.tif 000022